【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
マイクロ波周波数の電磁放射線を印加するマイクロ波印加器であって、
マイクロ波エネルギーを放射すべく導波管壁の出力端を越えて延びる誘電体材料を格納する外部導波管壁を有する導波管と、
内部導体及び前記内部導体を包囲する外部導電スリーブを具備して該導波管の入力端にて所定周波数のマイクロ波信号を入力する同軸入力であって、該内部導体が、該外部導電スリーブから長さ方向に該導波管壁内を該誘電体材料中へと延びて該誘電体材料内の自由端にて終了し、かつ、側部導体が、前記自由端から所定距離離隔した該誘電体材料内の一点にて該内部導体に接続され且つそこから横に延びることで、前記内部導体及び側部導体における電流が、該導波管の該出力端に伝播する該誘電体材料内の基本モードのマイクロ波を送出する、同軸入力と、
を具備するマイクロ波印加器。
【請求項２】
該内部導体が該導波管内を中央軸に沿って延びる、請求項１に記載のマイクロ波印加器。
【請求項３】
該側部導体が、該導波管壁まで延びる、請求項１に記載のマイクロ波印加器。
【請求項４】
該側部導体が、該導波管内の該内部導体の長さに沿って中央部に配置される、請求項１に記載のマイクロ波印加器。
【請求項５】
該側部導体が、該導波管壁内の開口を通して延び、かつ、該導波管壁から電気的に絶縁されている、請求項４に記載のマイクロ波印加器。
【請求項６】
該同軸入力が誘電体充填ケーブルであり、該誘電体充填ケーブルの誘電体が該導波管に届くことなく終了しエアギャップを残す、請求項１に記載のマイクロ波印加器。
【請求項７】
センサが該印加器に搭載され、該センサ信号出力が該同軸入力に接続される、請求項１に記載のマイクロ波印加器。
【請求項８】
医療用途に適応せしめられた、請求項１に記載のマイクロ波印加器。
【請求項９】
融除器としての用途に適応せしめられた、請求項８に記載のマイクロ波印加器。
【請求項１０】
該導波管が円形断面導波管である、請求項１に記載のマイクロ波印加器。
【請求項１１】
該側部導体が、該導波管へのマイクロ波エネルギーの伝達を増強する位置にて該内部導体に接続される、請求項１に記載のマイクロ波印加器。
【請求項１２】
マイクロ波周波数で生物学的組織のターゲット物質に電磁放射線を印加する医療用マイクロ波印加器であって、
導波管壁の出力端を越えて延びマイクロ波エネルギーを放射するように構成された誘電体材料を格納する外部導波管壁を有する導波管と、
内部導体及び前記内部導体を包囲する外部導電スリーブを具備して該導波管の入力端にて放出マイクロ波エネルギーが該組織ターゲット物質によって吸収されるのを誘発する周波数のマイクロ波信号を入力するように構成された同軸入力であって、該内部導体が、該外部導電スリーブから長さ方向に該導波管壁内を該誘電体材料中へと延びて該誘電体材料内の自由端にて終了し、かつ、側部導体が、前記自由端から所定距離離隔した該誘電体材料内の一点にて該内部導体に接続され且つそこから横に延びることで、前記内部導体及び側部導体における電流が、該導波管の該出力端に伝播する該誘電体材料内の基本モードのマイクロ波を送出する、同軸入力と、
を具備する医療用マイクロ波印加器。
【請求項１３】
放出マイクロ波エネルギーが該組織ターゲット物質を融除するのを誘発する周波数のマイクロ波信号を該導波管の入力端にて該同軸入力が入力するように構成された、請求項１２に記載の医療用マイクロ波印加器。
【請求項１４】
体内の生物学的組織を融除する方法であって、
導波管壁の出力端を越えて延びマイクロ波エネルギーを放射するように構成された誘電体材料を格納する外部導波管壁を有する導波管と、内部導体及び前記内部導体を包囲する外部導電スリーブを具備して該導波管の入力端にて所定周波数のマイクロ波信号を入力する同軸入力であって、該内部導体が、該外部導電スリーブから長さ方向に該導波管壁内を該誘電体材料中へと延びて該誘電体材料内の自由端にて終了し、かつ、側部導体が、前記自由端から所定距離離隔した該誘電体材料内の一点にて該内部導体に接続され且つそこから横に延びることで、前記内部導体及び側部導体における電流が、該導波管の該出力端に伝播する該誘電体材料内の基本モードのマイクロ波を送出する、同軸入力と、を具備するマイクロ波印加器を提供するステップと、
該印加器から放出されるマイクロ波エネルギーをターゲット生物学的組織物質が吸収するようにターゲット生物学的組織物質に十分に近接して該印加器を配置するステップと、
ターゲット生物学的組織物質がマイクロ波エネルギーを吸収するのを誘発する所定マイクロ波周波数で電磁放射線を放出するように該印加器を誘発するステップと、
を具備する方法。
【請求項１５】
該印加器を配置する該ステップが、ターゲット生物学的組織物質に達する体腔中に該印加器を挿入するステップを含む、請求項１４に記載の方法。
【請求項１６】
該印加器を挿入する該ステップが、子宮内膜の子宮内膜組織がマイクロ波エネルギーを吸収するのを誘発するように子宮内膜に十分に近接して該印加器を配置するステップ、を含み、
放出するように該印加器を誘発する該ステップが、子宮内膜組織が融除されるのを誘発するマイクロ波周波数で放射線を放出するように該印加器を誘発するステップ、を含む、
請求項１５に記載の方法。
【請求項１７】
放出するように該印加器を誘発する該ステップが、８〜１２ＧＨｚでマイクロ波放射線を放出するように該印加器を誘発するステップ、を含む、請求項１６に記載の方法。
【手続補正２】
【補正対象書類名】明細書
【補正対象項目名】０００６
【補正方法】変更
【補正の内容】
【０００６】
発明の開示
本発明によれば、マイクロ波周波数の電磁放射線を印加するマイクロ波印加器であって、所定周波数のマイクロ波信号入力を受信し及び通過せしめる同軸入力と、該マイクロ波信号入力を受信し及び伝播せしめる導波管と、マイクロ波エネルギーを放射するアンテナを形成すべく該導波管内に位置付けられ該導波管を越えて伸びる誘電体材料と、を具備するものにおいて、該同軸入力が該誘電体充填導波管へのマイクロ波信号入力の直接のインライン遷移部を提供する手段を有することを特徴とするマイクロ波印加器が提供される。


【手続補正３】
【補正対象書類名】明細書
【補正対象項目名】００１２
【補正方法】変更
【補正の内容】
【００１２】
さらに、本発明の改良型印加器は、我々の上述した先の出願にて既に開示された印加器に対して次の重要な利点を有する。すなわち、
(i) 導波管がより短く、というのも、同軸入力と誘電体充填導波管との間にハイブリッド部を形成することによって、遷移部と放射先端との間の距離が非常に短いからである。そして、これは、帯域幅及び印加器効率を改良するのに必要な誘電体材料の量を低減する。
(ii)印加器を可とう性にすることが可能となる。


【手続補正４】
【補正対象書類名】明細書
【補正対象項目名】００１４
【補正方法】変更
【補正の内容】
【００１４】
図１において、マイクロ波印加器（１）は、誘電体材料（３）で充填された円形断面導波管（２）を有する。該導波管（２）は、印加器（１）の端部に届くことなく終わっており、該誘電体の一部（４）が、そこから延びてマイクロ波エネルギーのための放射アンテナ先端を形成する。先端（４）から離隔した導波管のその端部は、該導波管に給電する同軸ケーブル（５）に接続される。そのケーブル（５）の内部導体（６）は、導波管（２）の軸に沿って誘電体（３）内に軸方向に延びる。そのケーブル（５）の外部導体（１７）は、導波管の外部導体壁（７）に接続される。導体（６）は、導波管内で終わり、側部導体（８）は、導体（６）から外壁（７）を通して放射状に延び、マイクロ波が誘電体（３）内に発射して磁界（１４）及び電界（１５）が図２に示されるように向かうのを誘発する働きをする。


【手続補正５】
【補正対象書類名】明細書
【補正対象項目名】００１８
【補正方法】変更
【補正の内容】
【００１８】
また図１に示されるのは、動作温度を感知すべく、放射先端（４）の外側にある熱電対（１０）である。さらに、追加の配線を避けるために、熱電対（１０）は、接続体（１９）によって同軸ケーブル（５）の外部導体（１７）に（１１）で直接接続されるとともに、壁（７）の外側の接続体（２０）によってケーブル（５）の中央導体（６）に側部導体（８）及びその外側端の接続体（１２）を介して直接に接続される。したがって、熱電対信号は、放射先端（４）にマイクロ波電力を運ぶ同一の同軸ケーブル（５）上を通過する。その同軸ケーブルからのＤＣ信号を感知し及び抽出するために従来の回路（図示せず）が使用される。